(57)【要約】【課題】指定レイヤに描画されているオブジェクトだけを選択表示し、アノテーションがどの端末から行われたものかの判別を容易にする。【解決手段】複数の情報端末と接続し、前記共有画面を表示する表示手段１と、選択されたレイヤを前記共有画面へ重畳表示するためのレイヤ表示制御手段７と、情報端末ごとに対応させたレイヤ及びレイヤに関した情報を記憶するレイヤ情報記憶手段４と、前記レイヤ情報記憶手段に記憶するレイヤ情報を管理し、情報端末よりレイヤ情報取得要求がある場合に管理しているレイヤ情報を配信するレイヤ情報配信手段６とを有する。以上の構成により、指定レイヤに描画されている描画オブジェクトのみを選択表示させるため、アノテーションがどの端末から行われたものかの判別が容易となる。【選択図】  図１
2008245005.tif 000002
【特許請求の範囲】
【請求項１】
複数の情報端末と通信回線を介して接続可能であり、複数の情報端末よりアノテーション可能な共有画面を有する電子描画装置であって、
複数の情報端末と接続し、前記共有画面を表示する表示手段と、
選択されたレイヤを前記共有画面へ重畳表示するためのレイヤ表示制御手段と、
情報端末ごとに対応させたレイヤ及びレイヤに関した情報を記憶するレイヤ情報記憶手段と、
前記レイヤ情報記憶手段に記憶するレイヤ情報を管理し、情報端末よりレイヤ情報取得要求がある場合に管理しているレイヤ情報を配信するレイヤ情報配信手段とを有することを特徴とする電子描画装置。
【請求項２】
通信回線を介して電子描画装置と接続可能な情報端末であって、
前記電子描画装置と通信をするための通信手段と、
前記電子描画装置が有する共有画面を情報端末上で表示するための表示手段と、
前記電子描画装置から選択したレイヤを前記表示手段へ重畳表示するためのレイヤ表示制御手段と、
前記電子描画装置から選択したレイヤ情報を取得する為のレイヤ情報取得手段とを有することを特徴とする情報端末。
【請求項３】
複数の情報端末と通信回線を介して接続可能であり、複数の情報端末よりアノテーション可能な共有画面を有する電子描画装置の制御方法であって、
情報端末よりレイヤ情報取得要求がある場合に、レイヤ情報記憶手段に管理しているレイヤ情報を配信するレイヤ情報配信ステップと、
前記レイヤ情報配信ステップで配信したレイヤ情報のうちの情報端末により選択されたレイヤ情報を受信する受信ステップと、
前記受信ステップで受信したレイヤ情報に基づき、情報端末ごとに対応させたレイヤ及びレイヤに関した情報を記憶する記憶ステップと、
前記受信ステップで受信したレイヤ情報に関連するレイヤを該レイヤ情報に対応する情報端末に配信する配信ステップとを有することを特徴とする電子描画装置の制御方法。
【請求項４】
通信回線を介して電子描画装置と接続可能な情報端末の制御方法であって、
前記電子描画装置からレイヤ情報を取得するレイヤ情報取得ステップと、
前記レイヤ情報取得ステップで取得したレイヤ情報から１つ又は複数のレイヤ情報を選択する選択ステップと、
前記選択ステップで選択したレイヤ情報を前記電子描画装置に送信する送信ステップと、
前記送信ステップで送信したレイヤ情報に関連するレイヤを取得するレイヤ取得ステップと、
前記レイヤ取得ステップで取得したレイヤを表示手段に表示する表示ステップとを有することを特徴とする情報端末の制御方法。
【請求項５】
複数の情報端末と通信回線を介して接続可能であり、複数の情報端末よりアノテーション可能な共有画面を有する電子描画装置の制御をコンピュータに実行させるためのコンピュータプログラムであって、
情報端末よりレイヤ情報取得要求がある場合に、レイヤ情報記憶手段に管理しているレイヤ情報を配信するレイヤ情報配信ステップと、
前記レイヤ情報配信ステップで配信したレイヤ情報のうちの情報端末により選択されたレイヤ情報を受信する受信ステップと、
前記受信ステップで受信したレイヤ情報に基づき、情報端末ごとに対応させたレイヤ及びレイヤに関した情報を記憶する記憶ステップと、
前記受信ステップで受信したレイヤ情報に関連するレイヤを該レイヤ情報に対応する情報端末に配信する配信ステップとをコンピュータに実行させることを特徴とするコンピュータプログラム。
【請求項６】
通信回線を介して電子描画装置と接続可能な情報端末の制御をコンピュータに実行させるためのコンピュータプログラムであって、
前記電子描画装置からレイヤ情報を取得するレイヤ情報取得ステップと、
前記レイヤ情報取得ステップで取得したレイヤ情報から１つ又は複数のレイヤ情報を選択する選択ステップと、
前記選択ステップで選択したレイヤ情報を前記電子描画装置に送信する送信ステップと、
前記送信ステップで送信したレイヤ情報に関連するレイヤを取得するレイヤ取得ステップと、
前記レイヤ取得ステップで取得したレイヤを表示手段に表示する表示ステップとをコンピュータに実行させることを特徴とするコンピュータプログラム。
【発明の詳細な説明】
【技術分野】
【０００１】
本発明は、携帯端末と携帯端末によりアノテーション可能な共有画面を有する電子描画装置とで構成される電子描画システムにおける電子描画装置、その制御方法及びコンピュータプログラムに関する。
【背景技術】
【０００２】
近年のネットワークの発展に伴い、コンピュータシステムを利用した電子会議システムが普及してきている。特に大画面表示装置を利用した電子会議システム等では、大画面表示装置を会議参加者の共有表示装置として利用しており、また単なる表示装置としての用途の他に電子ホワイトボード等、電子描画装置としての使われ方も増えてきている。電子ホワイトボードの入力端末としてはマウス、デジタイザ、タブレット等が使用されている。
【０００３】
一方、ＮｏｔｅＰＣ、ＰＤＡ(Ｐｅｒｓｏｎａｌ Ｄｉｇｉｔａｌ Ａｓｓｉｓｔａｎｔｓ)等の情報端末機器も普及してきており、両者を組み合わせた電子会議システムも見受けられる。
【０００４】
これらの多くの情報端末は、無線又は有線のインタフェースを持ち、表示装置として液晶表示画面を持ち、データの入力方法としてはペンによるタブレット式の入力装置やキーボード等の入力装置を備えている。そのため前述の電子描画装置の入力端末としても使用することが出来る。
【０００５】
例えば、共有表示装置へ共有画面を表示し、そこへ複数の情報端末機器を通信手段を介して接続し、情報端末機器の入力装置(タブレット等)からの座標入力にて共有画面中の文字に対してアノテーション（注釈）をする例が挙げられる。アノテーションとは、文字に対して下線を引いたり、目立たせたい個所にマーキングをしたりすることである。
【０００６】
また、特許文献１には、共有画面と情報端末との間で互いに書き込んだ情報或いは表示している情報等の送受信を行い、相互に同じ内容を表示できるようにして作業性を向上させるという技術が開示されている。
【０００７】
また、特許文献２には、文章処理アプリケーション上に透明ボードのレイヤをかぶせて注釈メッセージを書き込み、アプリケーションレイヤと透明ボードレイヤの重畳表示を行うことにより書き込んだ情報の共有を行うという技術が開示されている。
【０００８】
【特許文献１】特開平８−１７１４５５号公報
【特許文献２】特開平８−３６５４６号公報
【発明の開示】
【発明が解決しようとする課題】
【０００９】
従来の、複数の情報端末と接続され、端末よりアノテーション可能な共有画面をもつ電子描画システムにおいては、複数端末からアノテーションを行った場合には各端末から任意のアノテーションが行える。しかしながら、アノテーションが描画された後ではどのアノテーションがどの端末から行われたものか判別することが困難であった。これについてはアノテーションごとにどの端末から描画されたものかアノテーションのそばに端末名などを画面上に表示する例もあるが、これでは端末数やアノテーションの数が増えた場合に判別が困難になるという問題があった。
【００１０】
本発明は上記のような問題点を鑑みてなされたもので、指定レイヤに描画されているオブジェクトだけを選択表示し、アノテーションがどの端末から行われたものかの判別を容易にする手段を提供する事を目的とする。
また、端末でレイヤの指定、表示を行うことによりＨｏｓｔの共有画面の表示状態の変更をすることなく目的のレイヤのみを容易に抽出、表示し判別を容易にする手段を提供する事を目的とする。
【課題を解決するための手段】
【００１１】
本発明の電子描画装置は、複数の情報端末と通信回線を介して接続可能であり、複数の情報端末よりアノテーション可能な共有画面を有する電子描画装置であって、複数の情報端末と接続し、前記共有画面を表示する表示手段と、選択されたレイヤを前記共有画面へ重畳表示するためのレイヤ表示制御手段と、情報端末ごとに対応させたレイヤ及びレイヤに関した情報を記憶するレイヤ情報記憶手段と、前記レイヤ情報記憶手段に記憶するレイヤ情報を管理し、情報端末よりレイヤ情報取得要求がある場合に管理しているレイヤ情報を配信するレイヤ情報配信手段とを有することを特徴とする。
また、本発明の情報端末は、通信回線を介して電子描画装置と接続可能な情報端末であって、前記電子描画装置と通信をするための通信手段と、前記電子描画装置が有する共有画面を情報端末上で表示するための表示手段と、前記電子描画装置から選択したレイヤを前記表示手段へ重畳表示するためのレイヤ表示制御手段と、前記電子描画装置から選択したレイヤ情報を取得する為のレイヤ情報取得手段とを有することを特徴とする。
また、本発明の電子描画装置の制御方法は、複数の情報端末と通信回線を介して接続可能であり、複数の情報端末よりアノテーション可能な共有画面を有する電子描画装置の制御方法であって、情報端末よりレイヤ情報取得要求がある場合に、レイヤ情報記憶手段に管理しているレイヤ情報を配信するレイヤ情報配信ステップと、前記レイヤ情報配信ステップで配信したレイヤ情報のうちの情報端末により選択されたレイヤ情報を受信する受信ステップと、前記受信ステップで受信したレイヤ情報に基づき、情報端末ごとに対応させたレイヤ及びレイヤに関した情報を記憶する記憶ステップと、前記受信ステップで受信したレイヤ情報に関連するレイヤを該レイヤ情報に対応する情報端末に配信する配信ステップとを有することを特徴とする。
また、本発明の情報端末の制御方法は、通信回線を介して電子描画装置と接続可能な情報端末の制御方法であって、前記電子描画装置からレイヤ情報を取得するレイヤ情報取得ステップと、前記レイヤ情報取得ステップで取得したレイヤ情報から１つ又は複数のレイヤ情報を選択する選択ステップと、前記選択ステップで選択したレイヤ情報を前記電子描画装置に送信する送信ステップと、前記送信ステップで送信したレイヤ情報に関連するレイヤを取得するレイヤ取得ステップと、前記レイヤ取得ステップで取得したレイヤを表示手段に表示する表示ステップとを有することを特徴とする。
また、本発明のコンピュータプログラムは、複数の情報端末と通信回線を介して接続可能であり、複数の情報端末よりアノテーション可能な共有画面を有する電子描画装置の制御をコンピュータに実行させるためのコンピュータプログラムであって、情報端末よりレイヤ情報取得要求がある場合に、レイヤ情報記憶手段に管理しているレイヤ情報を配信するレイヤ情報配信ステップと、前記レイヤ情報配信ステップで配信したレイヤ情報のうちの情報端末により選択されたレイヤ情報を受信する受信ステップと、前記受信ステップで受信したレイヤ情報に基づき、情報端末ごとに対応させたレイヤ及びレイヤに関した情報を記憶する記憶ステップと、前記受信ステップで受信したレイヤ情報に関連するレイヤを該レイヤ情報に対応する情報端末に配信する配信ステップとをコンピュータに実行させることを特徴とする。
また、本発明のコンピュータプログラムは、通信回線を介して電子描画装置と接続可能な情報端末の制御をコンピュータに実行させるためのコンピュータプログラムであって、前記電子描画装置からレイヤ情報を取得するレイヤ情報取得ステップと、前記レイヤ情報取得ステップで取得したレイヤ情報から１つ又は複数のレイヤ情報を選択する選択ステップと、前記選択ステップで選択したレイヤ情報を前記電子描画装置に送信する送信ステップと、前記送信ステップで送信したレイヤ情報に関連するレイヤを取得するレイヤ取得ステップと、前記レイヤ取得ステップで取得したレイヤを表示手段に表示する表示ステップとをコンピュータに実行させることを特徴とする。
【発明の効果】
【００１２】
本発明によれば、指定レイヤに描画されている描画オブジェクトのみを選択表示させるため、アノテーションがどの端末から行われたものかの判別が容易となり、またその操作もレイヤ指定のみのためユーザの操作が容易になるという効果が得られる。
【発明を実施するための最良の形態】
【００１３】
以下、本発明の実施の形態について図面を参照して詳細に説明する。図１は本発明を適用した電子描画システムの全体構成図を示すブロック図である。当該電子描画システムは、表示装置１と、処理装置２０と、携帯情報端末機器１０とで構成される。なお、表示装置１と処理装置２０とで本発明でいう、複数の情報端末と通信回線を介して接続可能であり、複数の情報端末よりアノテーション可能な共有画面を有する電子描画装置が構成される。
【００１４】
表示装置１は、複数の情報端末と接続されている電子描画システムの共有画面（Ｈｏｓｔ画面）を表示するためのディスプレイである。処理装置２０は、コンピュータ等で構成されており、表示装置１に接続される。携帯情報端末機器１０（以下、単に情報端末、或いは端末）は、ＬＡＮなどの通信回線であるネットワーク９を介して処理装置２０に接続された、ＰＤＡ(Ｐｅｒｓｏｎａｌ Ｄｉｇｉｔａｌ Ａｓｓｉｓｔａｎｔｓ)等である。
【００１５】
３は、表示装置１に表示される画像を制御する表示制御手段である。２は、入力手段であり、共有画面へアノテーション等を行う際に座標を入力する為に用いるマウスである。なお、ここでは入力手段２をマウスとしているが、座標入力が可能なデバイスであれば特に指定はしないものとする。描画入力に適した入力デバイスとしては他にタッチパッドやタブレットなどがある。
【００１６】
４は、レイヤ情報記憶手段である。レイヤ情報記憶手段４は、共有画面へ複数重畳表示させるレイヤ情報や、レイヤと対応した端末情報及び接続情報、レイヤ上にアノテーションされた各種オブジェクトデータ等のレイヤテーブル、レイヤを配信要求している端末等を管理するテーブルを記憶する。レイヤ情報記憶手段４はまた、Ｆｌａｓｈ ＭｅｍｏｒｙやＲＡＭ(Ｒａｎｄｏｍ Ａｃｃｅｓｓ Ｍｅｍｏｒｙ)等の不揮発性メモリやＨＤＤ等の外部記憶装置から成る。
【００１７】
５は、処理装置２０内の各部を制御する制御手段であり、ＣＰＵやＭＰＵ等から成る。６は、レイヤ情報記憶手段４に記憶するレイヤ情報を管理し、情報端末よりレイヤ情報取得要求がある場合にレイヤ情報の配信を行うレイヤ情報配信手段である。
【００１８】
７は、選択されたレイヤを共有画面へ重畳表示を行うための制御を行うレイヤ表示制御手段である。８は、複数の情報端末との通信を制御するネットワークインタフェース部である通信手段である。
【００１９】
情報端末１０は、共有画面を表示可能な、表示デバイス(端末ディスプレイ)と、選択されたレイヤを情報端末上の表示デバイスへ重畳表示するためのレイヤ表示制御手段とを備える。更には、レイヤ情報記憶手段４から選択されたレイヤ情報を取得する為のレイヤ情報取得手段と、共有画面へ入力する為のタッチパネル等の入力手段と、処理装置２０と通信を行う為の通信手段を備える。
【００２０】
図２は、本実施形態におけるレイヤ情報記憶手段４に記憶される情報の一例を示した図である。格納される情報としては、レイヤと端末とを関連付ける為の端末ＩＤとレイヤＩＤ、レイヤに対応付けられた端末からのアノテーション情報である描画オブジェクト情報、レイヤに対し配信要求をしている端末を格納する配信要求端末等がある。
【００２１】
図３は、本実施形態におけるＨｏｓｔ端末となる処理装置２０の画面表示と、Ｈｏｓｔ端末と接続されている端末の共有画面に対するアノテーション入力の一例を示した図である。
【００２２】
３０１〜３０４は、情報端末上の表示デバイスであり、本図では共有画面へのアノテーションの入力例を示している。
【００２３】
３１１〜３１４は、描画オブジェクトであり、それぞれ端末１〜端末４から共有画面上に書き込まれたものである。
【００２４】
３００は、共有画面を表示しているＨｏｓｔとなる端末の表示デバイスの画面表示例であり、本図では端末１〜端末４からの入力をすべて重畳表示させているため、３０１〜３０４の各レイヤを合成し表示している。そのため表示画面３００には各端末からの描画オブジェクト３０１〜３１４を合成したものが表示されている。
【００２５】
図４は、図３においてＨｏｓｔ端末と接続されている情報端末の画面表示の一例を示した図である。
【００２６】
４０１〜４０４は、情報端末上の表示デバイスであり、共有画面の中から指定レイヤのみの選択表示を行っている。
【００２７】
本図において端末１では、表示指定レイヤは端末１と関連付けられているレイヤ１のため端末１の画面上にはレイヤ１のみが表示されており、端末１からアノテーションされた描画オブジェクトであるオブジェクト３１１のみが表示されている。
【００２８】
同様に端末２の表示指定レイヤはレイヤ２とレイヤ３である。つまり複数レイヤの指定の為、端末２の表示デバイスには端末２と対応付けられたレイヤ２上の描画オブジェクト３１２と端末３と対応付けられたレイヤ３上の描画オブジェクト３０３を重ねたものが表示されている。
【００２９】
図３及び図４中のＨｏｓｔ端末の共有画面上ではここでは特に指定していないが全端末からの描画オブジェクトを表示するものとし、全レイヤを重畳表示させている。もちろんＨｏｓｔ上でレイヤを指定し、指定レイヤのみ表示させるようにしてもよい。
【００３０】
図５は、本実施形態におけるレイヤ表示の処理手順を示したフローチャートである。
【００３１】
まず、ステップＳ５１では初期化処理を行う。ここでは共有画面を共有している情報端末は、処理装置２０とネットワークを介してＴＣＰ／ＩＰなどのプロトコルで接続される。このため、情報端末を区別する為にＩＰアドレス等の端末を特定できる情報をレイヤ情報記憶手段４記憶させ、端末ごとのレイヤの作成を行う。ユーザは共有画面の共有へ新規に参加や途中退出などが可能であるので、このレイヤ情報記憶手段４のテーブルは接続端末に変更があるたびに動的に変化させる。そのため、このレイヤテーブルは常に最新の接続情報となっている。
【００３２】
ステップＳ５２では、Ｈｏｓｔ側から端末側へ、レイヤの選択肢となる現在どのレイヤが存在するのかの簡易的な情報、例えばレイヤＩＤ列や端末ＩＤ列を受け渡す。
【００３３】
ステップＳ５３では、ステップＳ５２で得たレイヤ情報を端末画面へ表示させ、情報端末の使用者に表示させたいレイヤを選択させる。ここでレイヤが複数枚選択されれば複数枚のレイヤを情報端末の表示画面へ重畳表示させることになる。ここでレイヤが選択されない時はレイヤを重畳表示させず背景画像のみを表示させてもよい。また、ステップＳ５３ではレイヤを選択させるとしているが、レイヤを指定できる要素、例えばアノテーションオブジェクトや端末ＩＤ、使用者などを選択させるようにしてもよい。
【００３４】
ステップＳ５４では、ステップＳ５３で得られた指定レイヤをネットワーク９及び通信手段８を介し処理装置２０へレイヤの取得要求を出す。
【００３５】
ステップＳ５５では、レイヤ配信要求のある端末と、情報端末から要求された指定レイヤをレイヤ情報記憶手段４のレイヤテーブルから特定する。ステップＳ５３にて描画オブジェクト情報や端末ＩＤ、使用者等が選択された場合においても、図２のレイヤテーブルを参照し、レイヤを特定する。
【００３６】
ステップＳ５６は、ステップＳ５５で得られた情報をもとにレイヤ情報配信手段６により描画オブジェクトなどのレイヤ情報を通信手段を介し送信元の情報端末へ返信する。
【００３７】
ステップＳ５７では送信元の情報端末がステップＳ５６にてレイヤ情報配信手段より配信されたレイヤ情報の受信を行う。
【００３８】
ステップＳ５８は、ステップＳ５７で得られたレイヤ情報から情報端末の表示画面へ表示させるためのレイヤの表示制御を行う。
【００３９】
複数レイヤを指定していた場合はここで複数レイヤの合成を行い、ステップＳ５９にて情報端末へ指定レイヤの表示を行う。
【００４０】
図５のフローチャートでは端末側の表示制御手段にて複数レイヤの合成を行っていたが、処理装置２０側のレイヤ表示制御手段７を使用してもよい。その場合は図５のステップＳ５５とＳ５６との間に処理装置２０側のレイヤ表示制御手段にて指定レイヤの合成処理が行われる。その場合のフローチャートを図６に示す。
【００４１】
まずステップS６１では初期化処理として、端末を特定できる情報を取得し、レイヤ情報記憶手段４へ記憶させ、端末ごとのレイヤの作成を行う。
【００４２】
ステップＳ６２では、Ｈｏｓｔ側から端末側へ、レイヤの選択肢となる現在どのレイヤが存在するのかの簡易的な情報、例えばレイヤＩＤ列や端末ＩＤ列を受け渡す。
【００４３】
ステップＳ６３では、ステップＳ６２で得たレイヤ情報を端末画面へ表示させ、情報端末の使用者に表示させたいレイヤを選択させる。ここでレイヤが複数枚選択されれば複数枚のレイヤを情報端末の表示画面へ重畳表示させることになる。ここでレイヤが選択されない時はレイヤを重畳表示させず背景画像のみを表示させてもよい。
【００４４】
また、ステップＳ６３ではレイヤを選択させるとしているが、レイヤを指定できる要素、例えばアノテーションオブジェクトや端末ＩＤ、使用者などを選択させるようにしてもよい。
【００４５】
ステップＳ６４では、ステップＳ６３で得られた指定レイヤをネットワーク９及び通信手段８を介し処理装置２０へレイヤの取得要求を出す。
【００４６】
ステップＳ６５では、レイヤ配信要求のある端末と、情報端末から要求された指定レイヤをレイヤ情報記憶手段４のレイヤテーブルから特定する。ステップＳ６３にて描画オブジェクト情報や端末ＩＤ、使用者等が選択された場合においても、図２のレイヤテーブルを参照し、レイヤを特定する。
【００４７】
ステップＳ６６では、処理装置２０側のレイヤ表示制御手段７にて端末から配信要求のあるレイヤ画面を作成する。配信要求レイヤが複数ある場合にはここでレイヤの合成を行う。
【００４８】
ステップＳ６７ではステップＳ６６にて合成されたレイヤを送信元情報端末へ通信手段を介し返信する。
【００４９】
ステップS６８では、送信元の情報端末がステップＳ６７にてレイヤ情報配信手段より配信されたレイヤ情報の受信を行い、ステップＳ６９にて情報端末へ指定レイヤの表示を行う。
【００５０】
図７は処理装置２０が表示レイヤの指定を行い、表示装置１上に共有画面を表示させる場合のフローチャートである。この場合端末側からレイヤ指定を行う場合と比べレイヤ配信要求及びレイヤ取得のステップが省かれているがその他は同じ処理手順となっている。
【００５１】
まずステップＳ７１で初期化処理として、端末を特定できる情報を取得し、レイヤ情報記憶手段へ記憶させ、端末ごとのレイヤの作成を行う。
【００５２】
ステップＳ７２では、レイヤの選択肢となる現在どのレイヤが存在するのかの簡易的な情報、例えばレイヤＩＤ列や端末ＩＤ列をレイヤ情報記憶手段４より取得する。
【００５３】
ステップＳ７３では、ステップＳ７２で得たレイヤ情報を処理装置２０上の共有画面へ表示させ、使用者に表示させたいレイヤを選択させる。ここでレイヤが複数枚選択されれば複数枚のレイヤをＨｏｓｔ端末の表示画面へ重畳表示させることになる。ここでレイヤが選択されない時はレイヤを重畳表示させず背景画像のみを表示させてもよい。
【００５４】
また、ステップＳ７３ではレイヤを選択させるとしているが、レイヤを指定できる要素、例えばアノテーションオブジェクトや端末ＩＤ、使用者などを選択させるようにしてもよい。
【００５５】
ステップＳ７４では、ステップＳ７３にて指定されたレイヤをレイヤ情報記憶手段４のレイヤテーブルから特定する。ステップＳ７３にて描画オブジェクト情報や端末ＩＤ、使用者等が選択された場合においても、図２のレイヤテーブルを参照し、レイヤを特定する。
【００５６】
ステップＳ７５では、レイヤ表示制御手段７にてステップＳ７３で指定されたレイヤ画面を作成する。複数レイヤが指定された場合はレイヤの合成処理を行い。
【００５７】
ステップＳ７６にて表示装置に指定レイヤの表示を行う。
【００５８】
なお、本実施形態において、図２では端末ＩＤ(又はレイヤＩＤ)それぞれに対しレイヤ付随情報、配信要求端末、ＩＰアドレス、使用者が記憶されるテーブル構成となっているが、これに限定されない。描画オブジェクトと記入先レイヤＩＤの対応が取れるテーブル構成であれば、例えば図８に示すテーブル構成のようなものであれば、どのようなテーブル構成であっても構わない。
【００５９】
なお、本発明を実現するために、上述した実施形態の機能を実現するソフトウェアのプログラムコード（コンピュータプログラム）を記録した記憶媒体を用いても良い。この場合には記憶媒体をシステム或いは装置に供給し、そのシステム或いは装置のコンピュータ（又はＣＰＵやＭＰＵ）が記憶媒体に格納されたプログラムコードを読み出し実行することによって本発明の目的が達成される。
【００６０】
この場合、記憶媒体から読み出されたプログラムコード自体が上述した実施形態の機能を実現することになり、プログラムコード自体及びそのプログラムコードを記憶した記憶媒体は本発明を構成することになる。
【００６１】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６２】
また、そのプログラムコードの指示に基づき、コンピュータ上で稼動しているＯＳ（基本システム或いはオペレーティングシステム）等が実際の処理の一部又は全部を行う場合も含まれることは言うまでもない。
【００６３】
さらに、記憶媒体から読み出されたプログラムコードが、コンピュータに挿入された機能拡張ボードやコンピュータに接続された機能拡張ユニットに備わるメモリに書き込まれてもよい。この場合には、書き込まれたプログラムコードの指示に基づき、その機能拡張ボードや機能拡張ユニットに備わるＣＰＵ等が実際の処理の一部又は全部を行ってもよい。
【図面の簡単な説明】
【００６４】
【図１】本発明の実施の形態に係る電子描画装置の全体構成図を示すブロック図である。
【図２】本発明の実施の形態に係る電子情報装置のレイヤ情報記憶手段に記憶される情報の一例を示した図である。
【図３】Ｈｏｓｔ端末となる処理装置の画面表示と、Ｈｏｓｔ端末と接続されている端末の共有画面に対するアノテーション入力の一例を示した図である。
【図４】Ｈｏｓｔ端末と接続されている情報端末の画面表示の一例を示した図である。
【図５】レイヤ表示の処理手順を示したフローチャートである。
【図６】情報端末からの指定レイヤの合成処理を処理端末のレイヤ表示制御手段を用いて行う場合のフローチャートである。
【図７】処理端末上にてレイヤの指定、表示を行う場合のフローチャートである。
【図８】本発明の実施の形態に係る電子描画装置のレイヤ情報記憶手段に記憶される情報の別の例を示した図である。
【符号の説明】
【００６５】
１  表示装置
２  入力手段
３  表示制御手段
４  レイヤ情報記憶手段
５  制御手段
６  レイヤ情報配信手段
７  レイヤ表示制御手段
８  通信手段
９  ネットワーク
１０  携帯情報端末機器（情報端末、端末）
２０  処理装置
３００  表示デバイス
３０１〜３０４  情報端末上の表示デバイス
３１１〜３１４  情報端末から入力された描画オブジェクト
４０１〜４０４  情報端末上の表示デバイス
【図１】
2008245005.tif 000003
【図２】
2008245005.tif 000004
【図３】
2008245005.tif 000005
【図４】
2008245005.tif 000006
【図５】
2008245005.tif 000007
【図６】
2008245005.tif 000008
【図７】
2008245005.tif 000009
【図８】
2008245005.tif 000010